(57)【特許請求の範囲】
【請求項１】
機外から紙幣が投入される入金部と、機外へ取出可能となるように紙幣が機内から繰り出される出金部と、紙幣を収納するとともに収納した紙幣を前記出金部に出金させる複数の還流庫と、前記入金部または前記複数の還流庫からの紙幣を収納可能な回収庫と、前記還流庫から出金された紙幣のうちの出金リジェクト紙幣を収納する出金リジェクト庫とを有する紙幣入出金機において、
前記入金部、前記出金部、前記出金リジェクト庫および前記回収庫を、受け入れた紙幣の厚さ方向が同方向となるようにして該方向に並設して第１の構成群とするとともに、
前記複数の還流庫を、受け入れた紙幣の厚さ方向が同方向となるようにして該方向に並設して第２の構成群として、
これら第１の構成群と第２の構成群とを互いに前記並設の方向が同方向となるようにして該並設の方向とは直交する方向に並べて配設し、
前記第１の構成群の前記第２の構成群側に前記並設の方向に沿って延在して前記入金部、前記出金部、前記出金リジェクト庫および前記回収庫を接続させる第１搬送部を配設して、
前記第２の構成群の前記第１の構成群側に前記並設の方向に沿って延在して前記複数の還流庫を接続させる第２搬送部を配設し、
前記第１搬送部の前記並設の方向における一側と、前記第２搬送部の前記並設の方向における逆側とを、これら第１搬送部および第２搬送部の間に配設される第３搬送部で接続させてなり、
該第３搬送部は、前記第１搬送部の前記一側から前記第２搬送部側に延出する一側搬送路と、前記第２搬送部の前記逆側から前記第１搬送部側に延出する逆側搬送路と、これら一側搬送路および逆側搬送路の先端同士を連結させる、前記第１搬送部および前記第２搬送部に沿う直線状の連結搬送路とからなっており、
前記第３搬送部の前記連結搬送路に、入金紙幣を識別する入金識別部と出金紙幣を識別する出金識別部とを設けてなることを特徴とする紙幣入出金機。
【請求項２】
前記第３搬送部における前記第１搬送部側に前記入金識別部を設け、前記第３搬送部における前記第２搬送部側に前記出金識別部を設けてなることを特徴とする請求項１記載の紙幣入出金機。
【発明の詳細な説明】
【技術分野】
【０００１】
本発明は、入金された紙幣を出金用として利用可能な紙幣入出金機に関し、特にその小型化に関する。
【背景技術】
【０００２】
入金された紙幣を出金用として利用可能な紙幣入出金機に関するものとして、入金時に紙幣が、短辺方向を上下にした立位状態で、しかもその長辺方向を装置の奥行き方向に一致させた状態で投入され、この紙幣を立位状態のまま長辺方向に繰り出して搬送しつつ識別し、長辺方向を装置の奥行き方向に一致させた状態で各還流庫または回収庫に収納し、また各還流庫から長辺方向を装置の奥行き方向に一致させた状態で出金部に出金、またはリジェクト庫あるいは回収庫に排除するものがある（例えば、特許文献１参照）。
【０００３】
この紙幣入出金機は、機体前面側に、入金部と出金部とリジェクト庫と回収庫とを幅方向に並設するとともに、機体後面側に複数の還流庫を幅方向に並設し、機体前後方向の中間部に、円筒状のドラム型搬送部を設けて各部間で紙幣の出し入れを行うようになっている。これにより、高さと幅とを抑えることができ、小型化されて、例えば、ＰＯＳレジ周りの紙幣入出金機として活用可能なものとなる。
【特許文献１】特開２００３−２８８６３０号公報
【発明の開示】
【発明が解決しようとする課題】
【０００４】
しかしながら、上記した紙幣入出金機は、ドラム型搬送部を用いており、その径は紙幣の最大長に伴う大きさとされており、さらにその周囲に複数の振分部材の配置および枝状の搬送路を配設するためのスペースが必要になるため、特に入金部、出金部、リジェクト庫および回収庫と、ドラム型搬送部と、複数の還流庫とを結ぶ方向である機体奥行き方向の小型化が十分ではないという問題があった。
また、ドラム型搬送部の周囲の枝状搬送部が種々の角度方向に振り分けられて延びているため、紙幣の搬送にあたってジャムが発生する要因にもなっている。
【０００５】
したがって、本発明は、全体的に小型化が図れ、しかも紙幣搬送時のジャムの発生を抑制できる紙幣入出金機の提供を目的とする。
【課題を解決するための手段】
【０００６】
上記目的を達成するために、請求項１に係る発明は、機外から紙幣が投入される入金部と、機外へ取出可能となるように紙幣が機内から繰り出される出金部と、紙幣を収納するとともに収納した紙幣を前記出金部に出金させる複数の還流庫と、前記入金部または前記複数の還流庫からの紙幣を収納可能な回収庫と、前記還流庫から出金された紙幣のうちの出金リジェクト紙幣を収納する出金リジェクト庫とを有する紙幣入出金機において、前記入金部、前記出金部、前記出金リジェクト庫および前記回収庫を、受け入れた紙幣の厚さ方向が同方向となるようにして該方向に並設して第１の構成群とするとともに、前記複数の還流庫を、受け入れた紙幣の厚さ方向が同方向となるようにして該方向に並設して第２の構成群として、これら第１の構成群と第２の構成群とを互いに前記並設の方向が同方向となるようにして該並設の方向とは直交する方向に並べて配設し、前記第１の構成群の前記第２の構成群側に前記並設の方向に沿って延在して前記入金部、前記出金部、前記出金リジェクト庫および前記回収庫を接続させる第１搬送部を配設して、前記第２の構成群の前記第１の構成群側に前記並設の方向に沿って延在して前記複数の還流庫を接続させる第２搬送部を配設し、前記第１搬送部の前記並設の方向における一側と、前記第２搬送部の前記並設の方向における逆側とを、これら第１搬送部および第２搬送部の間に配設される第３搬送部で接続させてなり、該第３搬送部は、前記第１搬送部の前記一側から前記第２搬送部側に延出する一側搬送路と、前記第２搬送部の前記逆側から前記第１搬送部側に延出する逆側搬送路と、これら一側搬送路および逆側搬送路の先端同士を連結させる、前記第１搬送部および前記第２搬送部に沿う直線状の連結搬送路とからなっており、前記第３搬送部の前記連結搬送路に、入金紙幣を識別する入金識別部と出金紙幣を識別する出金識別部とを設けてなることを特徴としている。
【０００７】
請求項２に係る発明は、請求項１に係る発明において、前記第３搬送部における前記第１搬送部側に前記入金識別部を設け、前記第３搬送部における前記第２搬送部側に前記出金識別部を設けてなることを特徴としている。
【発明の効果】
【０００９】
請求項１に係る発明によれば、第１の構成群を構成する、機外から紙幣が投入される入金部と、機外へ取出可能となるように紙幣が機内から繰り出される出金部と、還流庫から出金された紙幣のうちの出金リジェクト紙幣を収納する出金リジェクト庫と、入金部または複数の還流庫からの紙幣を収納可能な回収庫とが、それぞれに受け入れた紙幣の厚さ方向が同方向となるようにして該方向に並設されており、第２の構成群を構成する、紙幣を収納するとともに収納した紙幣を出金部に出金させる複数の還流庫が、それぞれに受け入れた紙幣の厚さ方向が同方向となるようにして該方向に並設されていて、さらに、これら第１の構成群と第２の構成群とを互いに前記並設の方向が同方向となるようにして該並設の方向とは直交する方向に並べている。そして、第１の構成群の第２の構成群側に前記並設の方向に沿って延在して第１搬送部が配設され、第２の構成群の第１の構成群側に前記並設の方向に沿って延在して第２搬送部が配設されていて、第１搬送部の前記並設の方向における一側と、第２搬送部の前記並設の方向における逆側とを、これら第１搬送部および第２搬送部の間に配設される第３搬送部で接続させているため、一方向に長くなることなく全体的に小型化が図れる。しかも、第１の構成群に対して各部を接続させる第１搬送部が同じ第２の構成部側に配設され、第２の構成群に対して各部を接続させる第２搬送部が同じ第１の構成部側に配設されていて、これらをこれらの間の第３搬送部で接続させているため、各部への振り分けの方向が複雑にならず、紙幣搬送時のジャムの発生を抑制できる上、万一ジャムが生じても搬送部へのアクセスが容易でジャムを容易に解消できる。加えて、第１搬送部の前記並設の方向における一側と、第２搬送部の前記並設の方向における逆側とを接続させるように第３搬送部を設けて、第３搬送部の長さを確保し、このように長さが確保された第３搬送部に入金紙幣を識別する入金識別部と出金紙幣を識別する出金識別部とを設けているため、少なくとも紙幣一枚分の長さが必要な入金識別部と還流庫との距離を確保できるとともに、少なくとも紙幣一枚分の長さが必要な出金識別部と出金リジェクト庫との距離を確保できる。
また、第３搬送部が、第１搬送部の一側から第２搬送部側に延出する一側搬送路と、第２搬送部の逆側から第１搬送部側に延出する逆側搬送路と、これら一側搬送路および逆側搬送路の先端同士を連結させる、第１搬送部および第２搬送部に沿う連結搬送路とからなるため、第１搬送部、第２搬送部および第３搬送部を整然と配設できる。よって、万一ジャムが生じてもジャムを容易に解消できる。
【００１０】
請求項２に係る発明によれば、第３搬送部における第１搬送部側に入金識別部を設け、第３搬送部における第２搬送部側に出金識別部を設けているため、少なくとも紙幣一枚分の長さが必要な入金識別部と還流庫との距離を一層確実に確保できるとともに、少なくとも紙幣一枚分の長さが必要な出金識別部と出金リジェクト庫との距離を一層確実に確保できる。
【発明を実施するための最良の形態】
【００１２】
本発明の一実施形態の紙幣入出金機を図面を参照して以下に説明する。
本実施形態の紙幣入出金機１１は例えばＰＯＳレジの周りに図示略の硬貨入出金機とともに置かれて売上金の入金および釣銭の出金を行うものであり、図１に示すように、略直方体形状の筐体１２を有している。この筐体１２は、最も短い辺部１２ａを高さ方向に、次に短い中間長さの辺部１２ｂを幅方向（左右方向）に、最も長い辺部１２ｃを奥行き方向に配して設置され使用される。これにより、筐体１２は、最も操作者側にあって操作者と対向する前面（一側面）１２Ａが最も短い辺部１２ａと中間長さの辺部１２ｂとで囲まれた横長となり、また、上面１２Ｂが中間長さの辺部１２ｂと最も長い辺部１２ｃとで囲まれる。なお、以下の説明で用いる高さ方向、幅方向および奥行き方向は、特に記載のない限り、筐体１２における高さ方向、幅方向および奥行き方向を示す。
【００１３】
前記筐体１２内の前面１２Ａ側には、図２にも示すように、幅方向に沿って一側から順に、機外から紙幣Ｓが投入される前面１２Ａに開口可能な入金部１５、機外へ取出可能となるように紙幣Ｓが機内から繰り出される前面１２Ａに開口可能な出金部１６、出金リジェクト紙幣を収納する着脱不可な出金リジェクト庫１７および入金部１５からの紙幣Ｓおよび後述する複数の還流庫２０〜２２からの紙幣Ｓを収納可能な着脱式の回収庫１８が配設されている。
【００１４】
前記筐体１２内の前面１２Ａとは反対側には、幅方向に沿って一側から順に、紙幣Ｓを収納するとともに収納した紙幣Ｓを出金部１６に出金させる複数具体的には三つの着脱不可な還流庫２０、還流庫２１、還流庫２２が配設されている。
【００１５】
ここで、前面１２Ａ側の入金部１５、出金部１６、出金リジェクト庫１７および回収庫１８を一纏まりの第１の構成群２５とし、前面１２Ａとは反対側の複数の還流庫２０、還流庫２１および還流庫２２を一纏まりの第２の構成群２６とする。
【００１６】
なお、第１の構成群２５の入金部１５、出金部１６、出金リジェクト庫１７および回収庫１８は一つのユニット２８とされて、ユニット毎筐体１２から着脱可能となっている。ここで、図１に示すように、筐体１２のうち、前面１２Ａを構成する部分から上面１２Ｂ側の第１の構成群２５を覆う部分までが、錠２９が別体のキーで操作されることにより開閉可能な蓋部３０とされており、この蓋部３０が開放されてユニット２８が筐体１２に対し着脱される。さらに、回収庫１７は、ユニット２８からも着脱可能であり、蓋部３０が開放されてユニット２８に対し着脱される。なお、蓋部３０には、前面１２Ａを構成する部分に、入金部１５へ紙幣Ｓを投入するための入金口３２、出金部１６から紙幣Ｓを取出可能に突出させるための出金口３３および操作入力が行われるとともに操作者に対する表示を行う操作表示部３４が設けられている。なお、蓋部３０を開閉可能とするべく前面１２Ａ側の一部を突出させるようにして図３に示すレジ台３１が紙幣入出金機１１の後部を覆うように設けられている。さらに、メンテナンス等のために蓋部３０を開いた状態で筐体１２内のすべての機構部が手前に引き出し可能となっている。蓋部３０の前面１２Ａを構成する部分には、図１に示すように上記した錠２９に加えて電源スイッチ３５が設けられている。
【００１７】
上記した入金部１５、出金部１６、出金リジェクト庫１７、回収庫１８、還流庫２０、還流庫２１および還流庫２２は、奥行き方向に長い横長の形状をなしている。第１の構成群２５の入金部１５、出金部１６、出金リジェクト庫１７および回収庫１８は、すべて、互いの奥行き方向および高さ方向の位置を合わせており、紙幣Ｓを短辺方向を高さ方向に沿わせ長辺方向を奥行き方向に沿わせた立位状態で受け入れるようになっている。つまり、入金部１５、出金部１６、出金リジェクト庫１７および回収庫１８は、それぞれに受け入れた紙幣Ｓの厚さ方向が同方向となるようにして該方向（幅方向に一致）に並設されている。
【００１８】
また、第２の構成群２６の還流庫２０、還流庫２１および還流庫２２も、すべて、互いの奥行き方向および高さ方向の位置を合わせており、紙幣Ｓを短辺方向を高さ方向に沿わせ長辺方向を奥行き方向に沿わせた立位状態で受け入れるようになっている。つまり、還流庫２０、還流庫２１および還流庫２２も、それぞれに受け入れた紙幣の厚さ方向が同方向となるようにして該方向（幅方向と一致）に並設されている。
【００１９】
そして、第１の構成群２５と第２の構成群２６とは、互いの高さ方向の位置を合わせた状態で、第１の構成群２５における入金部１５、出金部１６、回収庫１８および出金リジェクト庫１７の並設方向と、第２の構成群２６における還流庫２０、還流庫２１および還流庫２２の並設方向とが同方向となるようにして、該並設の方向とは直交する奥行き方向に並べて配設されている。
【００２０】
筐体１２内において、第１の構成群２５の入金部１５、出金部１６、出金リジェクト庫１７および回収庫１８の並設の方向に対し直交する方向の一側である第２の構成群２６側のみに、これらの並設方向に沿って延在するとともに、これら入金部１５、出金部１６、出金リジェクト庫１７および回収庫１８を接続させることで紙幣Ｓのやり取りを行う第１搬送部３７Ａが配設されている。
【００２１】
また、筐体１２内において、第２の構成群２６の還流庫２０、還流庫２１および還流庫２２の並設の方向に対し直交する方向の上記一側とは逆側である第１の構成群２５側のみに、これらの並設方向に沿って延在するとともに、これら還流庫２０、還流庫２１および還流庫２２を接続させることで紙幣Ｓのやり取りを行う第２搬送部３７Ｂが配設されている。
【００２２】
そして、筐体１２内には、第１搬送部３７Ａと第２搬送部３７Ｂとが若干間隔をあけて設けられており、これら第１搬送部３７Ａと第２搬送部３７Ｂとの間に、第１搬送部３７Ａの入金部１５、出金部１６、出金リジェクト庫１７および回収庫１８の並設方向における一側である回収庫１８側と、これらの並設方向と平行な第２搬送部３７Ｂの還流庫２０、還流庫２１および還流庫２２の並設方向における逆側である還流庫２０側とを接続させる第３搬送部３７Ｃを配設している。
【００２３】
この第３搬送部３７Ｃは、第１搬送部３７Ａの前記一側から第１搬送部３７Ａと略直交して第２搬送部３７Ｂ側に延出する一側搬送路３７Ｃａと、第２搬送部３７Ｂの前記逆側から第２搬送部３７Ｂと略直交して第１搬送部３７Ａ側に延出する逆側搬送路３７Ｃｂと、これら一側搬送路３７Ｃａおよび逆側搬送路３７Ｃｂの延出先端同士を連結させる、これらに略直交し、かつ第１搬送部３７Ａおよび第２搬送部３７Ｂに沿う連結搬送路３７Ｃｃとからなっている。
【００２４】
上記した第１搬送部３７Ａ、第２搬送部３７Ｂおよび第３搬送部３７Ｃからなる略Ｓ字状の搬送部３７は、図３に示す制御部８１で制御されて正逆回転するものであり、紙幣Ｓを常に長辺方向を搬送方向に沿わせ短辺方向を上下方向にした立位状態で搬送する。そして、入金部１５、出金部１６、出金リジェクト庫１７、回収庫１８、還流庫２０〜２２および搬送部３７の下側に、これらを駆動する図３に示す駆動系８０が配置され、その下側に制御部８１と電源８２とが配置されている。
【００２５】
搬送部３７は、図２に示すように、搬送経路上の両端側にある入金部１５と還流庫２２とを結ぶ略Ｓ字状の主搬送路３８を有しており、この主搬送路３８は、第１構成群２５側の一部が第１搬送部３７Ａを構成し、第２構成群２６側の一部が第２搬送部３７Ｂを構成し、これらの間にある部分が第３搬送部３７Ｃを構成している。
【００２６】
また、搬送部３７は、主搬送路３８の出金部１６の近傍から分岐して出金部１６に接続される分岐搬送路３９と、主搬送路３８の出金リジェクト庫１７の近傍から分岐して出金リジェクト庫１７に接続される分岐搬送路４０と、主搬送路３８の回収庫１８の近傍から分岐して回収庫１８に接続される分岐搬送路４１とを有しており、これら分岐搬送路３９〜４１は、第１搬送部３７Ａを構成している。
【００２７】
さらに、搬送部３７は、主搬送路３８の還流庫２０の近傍から分岐して還流庫２０に接続される分岐搬送路４２と、主搬送路３８の還流庫２１の近傍から分岐して還流庫２１に接続される分岐搬送路４３とを有しており、これら分岐搬送路４２，４３は、第２搬送部３７Ｂを構成している。
【００２８】
加えて、搬送部３７は、主搬送路３８を介して第２の構成群２６側から搬送されてきた紙幣Ｓを、開状態では出金部１６に接続される分岐搬送路３９に案内して出金部１６に搬送させる一方、閉状態ではそのまま主搬送路３８で搬送させる振分部３９Ｇと、主搬送路３８を介して第２の構成群２６側から搬送されてきた紙幣Ｓを、開状態では出金リジェクト庫１７に接続される分岐搬送路４０に案内して出金リジェクト庫１７に搬送させる一方、閉状態ではそのまま主搬送路３８で搬送させる振分部４０Ｇと、主搬送路３８を介して第２の構成群２６側から搬送されてきた紙幣Ｓを、開状態では回収庫１８に接続される分岐搬送路４１に案内して回収庫１８に搬送させる一方、閉状態ではそのまま主搬送路３８で搬送させる振分部４１Ｇとを有している。これら振分部３９Ｇ〜４１Ｇは、第１搬送部３７Ａを構成している。
【００２９】
加えて、搬送部３７は、主搬送路３８を介して第１の構成群２５側から搬送されてきた紙幣Ｓを、開状態では還流庫２０に接続される分岐搬送路４２に案内して還流庫２０に搬送させる一方、閉状態ではそのまま主搬送路３８で搬送させる振分部４２Ｇと、主搬送路３８を介して第１の構成群２５側から搬送されてきた紙幣Ｓを、開状態では還流庫２１に接続される分岐搬送路４３に案内して還流庫２１に搬送させる一方、閉状態ではそのまま主搬送路３８で搬送させる振分部４３Ｇとを有している。これら振分部４２Ｇ，４３Ｇは、第２搬送部３７Ｂを構成している。なお、上記した振分部３９Ｇ〜４３Ｇは通常閉状態とされており、必要により制御部８１で駆動されて開状態となる。なお、図２においては、振分部３９Ｇ〜４１Ｇ，４３Ｇが閉状態で示され、振分部４２Ｇが開状態で示されている。
【００３０】
ここで、還流庫２０は、分岐搬送路４２から受け入れた紙幣を一時貯留させる、幅方向一側である逆側搬送路３７Ｃｂ側の中間プール部２０ａと、中間プール部２０ａの紙幣Ｓを収納する幅方向逆側の収納部２０ｂとを有しており、収納部２０ｂに収納した紙幣Ｓを分岐搬送路４２に出金可能となっている。同様に、還流庫２１は、分岐搬送路４３から受け入れた紙幣Ｓを一時貯留させる、幅方向一側である逆側搬送路３７Ｃｂ側の中間プール部２１ａと、中間プール部２１ａの紙幣Ｓを収納する幅方向逆側の収納部２１ｂとを有しており、収納部２１ｂに収納した紙幣Ｓを分岐搬送路４３に出金可能となっている。さらにまた還流庫２２も、主搬送路３８から受け入れた紙幣Ｓを一時貯留させる、幅方向一側である逆側搬送路３７Ｃｂ側の中間プール部２２ａと、中間プール部２２ａの紙幣Ｓを収納する幅方向逆側の収納部２２ｂとを有しており、収納部２２ｂに収納した紙幣Ｓを主搬送路３８に出金可能となっている。なお、搬送経路上最も第１の構成群２５とは反対側の還流庫２２の収納部２２ｂは、他の還流庫２０，２１の収納部２０ｂ，２１ｂよりも収納量が多くされており、取扱量の最も多い千円券紙幣を収納させるようになっている。また、搬送経路上最も第１の構成群２５側の還流庫２０はそれ以外の例えば万円券紙幣を、搬送経路上中間の還流庫２１はそれ以外の例えば五千円券紙幣をそれぞれ収納させるようになっている。
【００３１】
そして、第３搬送部３７Ｃの連結搬送路３７Ｃｃには、その第１搬送部３７Ａ側に、第１搬送部３７Ａ側から第２搬送部３７Ｂ側に搬送中の入金紙幣を識別する入金識別部４７が設けられており、その第２搬送部３７Ｂ側に、第２搬送部３７Ｂ側から第１搬送部３７Ａ側に搬送中の出金紙幣Ｓの重送等を識別する出金識別部４８が設けられている。その結果、これら入金識別部４７および出金識別部４８は奥行き方向の位置を合わせて幅方向に並設されている。
【００３２】
なお、第１搬送部３７Ａ側から第２搬送部３７Ｂ側に搬送中の紙幣Ｓを、入金識別部４７での識別結果によっては、振分部４２Ｇを閉状態として還流庫２０に接続される分岐搬送路４２に案内したり、あるいは、振分部４２Ｇを開状態としてそのまま主搬送路３８を搬送させる必要があるため、入金識別部４７の識別情報検出完了位置から最も逆側搬送路３７Ｃｂ側の還流庫２０の分岐搬送路４２の分岐位置までの距離は、「紙幣Ｓの最大の長辺長さ」＋「入金識別部４７による識別に要する時間に、振分部４２Ｇの振分動作に要する時間を加えた合計時間分の搬送長さ（すなわち、この合計時間に、搬送部３７の搬送速度を掛け合わせて算出された搬送長さ）」の距離とされている。
また、搬送される紙幣Ｓが、入金識別部４７によって、いずれかの還流庫２０〜２２に収納させるべき紙幣Ｓであると識別されると、当該搬送中の紙幣Ｓを、該当するいずれかの還流庫２０〜２２に向けて搬送し続ける一方、次の紙幣Ｓを入金部１５から繰り出す。
これにより、入金識別部４７によって識別される紙幣Ｓが、いずれかの還流庫２０〜２２に収納させるべき紙幣Ｓであると識別されている限り、主搬送路３８は、紙幣Ｓを第１搬送部３７Ａ側から第２搬送部３７Ｂ側に搬送し続ける。
これに対して、第１搬送部３７Ａ側から第２搬送部３７Ｂ側に搬送中の紙幣Ｓを、入金識別部４７での識別結果によっては逆に搬送して回収庫１８に回収させる場合があるが、このとき、入金識別部４７で識別した紙幣Ｓが最も近い還流庫２０の分岐搬送路４２の分岐位置までに至る前に搬送を停止し、続けて、主搬送路３８が逆方向に搬送を開始することになる。
【００３３】
また、第２搬送部３７Ｂ側から第１搬送部３７Ａ側に搬送中の紙幣Ｓを、出金識別部４８での識別結果によって、振分部４１Ｇを開状態として回収庫１８に接続される分岐搬送路４１に案内したり、あるいは、振分部４１Ｇを閉状態としてそのまま主搬送路３８を搬送させる必要があるため、出金識別部４８の識別情報検出完了位置から回収庫１８の分岐搬送路４１の分岐位置までの距離は、「紙幣Ｓの最大の長辺長さ」＋「出金識別部４８による識別に要する時間に、振分部４１Ｇの振分動作に要する時間を加えた合計時間分の搬送長さ（すなわち、この合計時間に、搬送部３７の搬送速度を掛け合わせて算出された搬送長さ）」の距離とされている。
これにより、主搬送路３８は、いずれかの還流庫２０〜２２から紙幣Ｓを繰り出している限り、紙幣Ｓを第２搬送路３７Ｂ側から第１搬送路３７Ａ側に搬送し続けることになる。
【００３４】
入金部１５には、入金口３２から、紙幣Ｓが、短辺方向を上下にした立位状態で、しかもその長辺方向を奥行き方向に一致させた姿勢で前面１２Ａと直交する方向に投入されることになり、このように投入された紙幣Ｓをそのままの姿勢で内部に引き込む。そして、紙幣を一枚ずつ分離して、搬送部３７に送り出す。
【００３５】
出金部１６には、搬送部３７から送り込まれた紙幣Ｓを、短辺方向を上下にした立位状態で、しかもその長辺方向を奥行き方向に一致させた姿勢で受け入れることになり、このように受け入れた紙幣Ｓをそのままの姿勢で機外に取出可能となるように出金口３３から前面１２Ａと直交する方向に突出させる。
【００３６】
以上に述べた構成の本実施形態の紙幣入出金機１１の作動を各処理別に説明する。
「入金処理」
入金処理時には、入金口３２から紙幣Ｓが、その短辺方向を高さ方向に沿わせ、その長辺方向を奥行き方向に沿わせた立位状態で投入されると、制御部８１は紙幣Ｓを搬送部３７の主搬送路３８に一枚ずつ分離して送り出すことになる。そして、主搬送路３８に送り出された紙幣Ｓは、搬送中に入金識別部４７で識別されることになり、入金可能な紙幣Ｓと識別されたタイミングで、制御部８１は、還流庫２０〜２２用の振分部４２Ｇ，４３Ｇのうち該当する金種への振分用のものを必要により開作動させる。これにより、搬送部３７を停止させることなく金種の還流庫２０〜２２のうちの該当するものに当該紙幣Ｓを収納させることになる。ここでは、入金可能な千円券紙幣であった場合には主搬送路３８でそのまま還流庫２２の中間プール部２２ａに貯留させ、入金可能な万円券紙幣であった場合には振分部４２Ｇで分岐搬送路４２を介して還流庫２０の中間プール部２０ａに貯留させ、入金可能な五千円券紙幣であった場合には振分部４３Ｇで分岐搬送路４３を介して還流庫２１の中間プール部２１ａに貯留させる。
【００３７】
ここで、例えばＰＯＳレジにおいて顧客から受け取った代金（紙幣＋硬貨）を操作者が確認し入金金額を手入力で入力して、これに基づいて売上額を差し引いた釣銭額を先行して出金させた後に、受け取った代金の入金を行う釣銭先出型の場合には、紙幣Ｓの顧客への返却は機械側では行わないため、還流庫２０〜２２において順次中間プール部２０ａ〜２２ａから紙幣Ｓを収納部２０ｂ〜２２ｂに収納させることになる。他方、受け取った代金の入金を行い、入金金額を入金識別部４７の識別結果に基づいて確定してから、売上額を差し引き、釣銭額を算出して、これに応じて釣銭用の紙幣を出金させる入金先確定型の場合には、顧客への返却を行う可能性があるため、入金確定操作が入力されたことを条件に中間プール部２０ａ〜２２ａから紙幣Ｓを収納部２０ｂ〜２２ｂに収納させる。
【００３８】
なお、入金可能であるものの還流庫を持たない二千円券紙幣については、釣銭先出型の場合には、これが入金識別部４７で識別されると、制御部８１は、搬送部３７を停止させる。次に、制御部８１は、回収庫１８への振分部４１Ｇを開作動させることで当該紙幣Ｓを回収庫１８に受け入れ可能な状態になると、搬送部３７を逆転させて振分部４１Ｇで分岐搬送路４１を介して当該紙幣Ｓを回収庫１８に収納させる。
【００３９】
また、釣銭先出型の場合に、還流庫２０〜２２のいずれかが満杯状態にあって、その金種の入金可能な紙幣Ｓが入金識別部４７で識別されると、制御部８１は、搬送部３７を停止させる。次に、制御部８１は、回収庫１８への振分部４１Ｇを開作動させることで当該紙幣Ｓを回収庫１８に受け入れ可能な状態になると、搬送部３７を逆転させて振分部４１Ｇで分岐搬送路４１を介して当該紙幣Ｓを回収庫１８に収納させる。
【００４０】
他方、入金識別部４７で入金不可な紙幣Ｓと識別されると、制御部８１は、搬送部３７を停止させる。次に、制御部８１は、釣銭先出型の場合には、単に識別のミスがあったと判断するものの入金は既に手入力で入力されているため、回収庫１８に収納させる。つまり、回収庫１８への振分部４１Ｇを開作動させることで当該紙幣Ｓを回収庫１８に受け入れ可能な状態になると、搬送部３７を逆転させて当該紙幣Ｓを振分部４３Ｇで分岐搬送路４１を介して回収庫１８に搬送する。また、入金先確定型の場合には、上記搬送部３７の停止後、出金部１６への振分部３９Ｇを開作動させることで当該紙幣Ｓを出金部１６に受け入れ可能な状態になると、搬送部３７を逆転させて当該紙幣Ｓを振分部３９Ｇで分岐搬送路３９を介して出金部１６に搬送する。そして、出金部１６から機外に取出可能な状態として、操作者を介して顧客に返却する。前記したように、搬送される紙幣Ｓが、入金識別部４７によって、いずれかの還流庫２０〜２２に収納させるべき紙幣Ｓであると識別されると、当該搬送中の紙幣Ｓを、該当するいずれかの還流庫２０〜２２に向けて搬送し続ける一方、次の紙幣Ｓを入金部１５から繰り出し、これにより、入金識別部４７によって識別される紙幣Ｓが、いずれかの還流庫２０〜２２に収納させるべき紙幣Ｓであると識別されている限り、主搬送路３８は、紙幣Ｓを第１搬送路３７Ａ側から第２搬送路３７Ｂ側に搬送し続ける。
これに対して、第１搬送部３７Ａ側から第２搬送部３７Ｂ側に搬送中の紙幣Ｓを、入金識別部４７での識別結果によって逆転搬送すべき紙幣と識別したときは、当該搬送中の紙幣Ｓの搬送を停止させ、且つ、次の紙幣Ｓの入金部１５からの繰り出しを行うことなく、続けて、主搬送路３８を逆方向に搬送開始させる。
そして、当該紙幣Ｓを、回収庫１８または出金部１６に搬送すると、主搬送路３８の逆転搬送を停止させ、主搬送路３８の正転搬送を再開し、入金部１５からの次の紙幣Ｓの繰り出しを再開する。
【００４１】
「出金処理」
出金処理時には、還流庫２０〜２２のいずれか一つから紙幣Ｓを主搬送路３８を介して出金部１６側に向けて搬送することになり、主搬送路３８の搬送中に出金識別部４８で重送ではない出金可能な紙幣Ｓが識別されると、制御部８１は、出金部１６への振分用の振分部３９Ｇを開作動させることで、搬送部３７を停止させることなく当該紙幣Ｓを分岐搬送路３９を介して出金部１６に送り込む。この場合、出金識別部４８は重送のみをチェックする。
【００４２】
他方、出金識別部４８で出金不可な重送紙幣と識別されると、制御部８１は、出金リジェクト庫１７への振分部４０Ｇを開作動させて、搬送部３７を停止させることなく当該紙幣Ｓを振分部４０Ｇで分岐搬送路４０を介して出金リジェクト庫１７に搬送する。
【００４３】
そして、出金部１６への紙幣Ｓの搬送を適宜繰り返すことで、出金する枚数の紙幣Ｓが出金部１６に送り込まれると、出金部１６はこの紙幣Ｓを出金口３３から機外に取り出し可能な状態とする。
【００４４】
「回収処理」
回収処理時には、還流庫２０〜２２のいずれか一つから紙幣Ｓを主搬送路３８を介して回収庫１８側に向けて搬送することになり、主搬送路３８の搬送中に出金識別部４８で重送でない紙幣Ｓが識別されると、制御部８１は、回収庫１８への振分用の振分部４１Ｇを開作動させることで、搬送部３７を停止させることなく当該紙幣Ｓを分岐搬送路４１を介して回収庫１８に送り込む。なお、出金識別部４８で回収金額を確認しながら回収することになり、必要により回収庫１８の交換を繰り返す。
【００４５】
他方、出金識別部４８で重送紙幣と識別されると、制御部８１は、出金リジェクト庫１７への振分部４０Ｇを開作動させることで、搬送部３７を停止させることなく当該紙幣Ｓを分岐搬送路４０を介して出金リジェクト庫１７に搬送する。なお、回収処理の終了後にこの出金リジェクト庫１７から人手によって紙幣Ｓが取り出される。また、紙幣入出金機１１内の紙幣Ｓを、翌日の釣銭支払い等のために一部を残して回収する残置回収の場合、還流庫２０〜２２の枚数金額は把握されているため、各残置分を除いて上記動作を繰り返す。ここで、上記のように三つの還流庫２０〜２２が存在する場合、各還流庫２０〜２２の金種設定によっては残置枚数をゼロとする還流庫が存在することもあり得る。
【００４６】
「装填処理」
すべての還流庫２０〜２２から紙幣Ｓを回収する全回収があった場合、釣銭準備金を装填する装填処理が行われるが、この装填処理は、上記した入金処理とほぼ同様に行われる。
【００４７】
以上に述べた本実施形態の紙幣入出金機１１によれば、第１の構成群２５を構成する、機外から紙幣Ｓが投入される入金部１５と、機外へ取出可能となるように紙幣Ｓが機内から繰り出される出金部１６と、還流庫２０〜２２から出金された紙幣Ｓのうちの出金リジェクト紙幣Ｓを収納する出金リジェクト庫１７と、入金部１５または複数の還流庫２０〜２２からの紙幣Ｓを収納可能な回収庫１８とが、それぞれに受け入れた紙幣Ｓの厚さ方向が同方向となるようにして該方向に並設されており、第２の構成群２６を構成する、紙幣Ｓを収納するとともに収納した紙幣Ｓを出金部１６に出金させる複数の還流庫２０〜２２が、それぞれに受け入れた紙幣Ｓの厚さ方向が同方向となるようにして該方向に並設されていて、さらに、これら第１の構成群２５と第２の構成群２６とを互いに前記並設の方向が同方向となるようにして該並設の方向とは直交する方向に並べている。そして、第１の構成群２５の第２の構成群２６側に前記並設の方向に沿って延在して第１搬送部３７Ａが配設され、第２の構成群２６の第１の構成群２５側に前記並設の方向に沿って延在して第２搬送部３７Ｂが配設されていて、第１搬送部３７Ａの前記並設の方向における一側と、第２搬送部３７Ｂの前記並設の方向における逆側とを、これら第１搬送部３７Ａおよび第２搬送部３７Ｂの間に配設される第３搬送部３７Ｃで接続させているため、一方向に長くなることなく全体的に小型化が図れる。
【００４８】
しかも、第１の構成群２５に対して各部を接続させる第１搬送部３７Ａが第１の構成群２５に対して同じ第２の構成部２６側に配設され、第２の構成群２６に対して各部を接続させる第２搬送部３７Ｂが第２の構成群２６に対して同じ第１の構成部２５側に配設されていて、これらをこれらの間の第３搬送部３７Ｃで接続させているため、各部への振り分けの方向が複雑にならず、紙幣搬送時のジャムの発生を抑制できる上、万一ジャムが生じても搬送部３７へのアクセスが容易でジャムを容易に解消できる。
【００４９】
加えて、第１搬送部３７Ａの前記並設の方向における一側と、第２搬送部３７Ｂの前記並設の方向における逆側とを接続させるように第３搬送部３７Ｃを設けて、第３搬送部３７Ｃの長さを確保し、このように長さが確保された第３搬送部３７Ｃに入金紙幣Ｓを識別する入金識別部４７と出金紙幣Ｓを識別する出金識別部４８とを設けているため、少なくとも紙幣一枚分の長さが必要な入金識別部４７と還流庫２０との距離を確保できるとともに、少なくとも紙幣一枚分の長さが必要な出金識別部４８と回収庫１８との距離を確保できる。
【００５０】
さらに、第３搬送部３７Ｃにおける第１搬送部３７Ａ側に入金識別部４７を設け、第３搬送部３７Ｃにおける第２搬送部３７Ｂ側に出金識別部４８を設けているため、少なくとも紙幣一枚分の長さが必要な入金識別部４７と還流庫２０との距離を一層確実に確保できるとともに、少なくとも紙幣一枚分の長さが必要な出金識別部４８と回収庫１８との距離を一層確実に確保できる。
【００５１】
加えて、第３搬送部３７Ｃが、第１搬送部３７Ａの一側から第２搬送部３７Ｂ側に延出する一側搬送路３７Ｃａと、第２搬送部３７Ｂの上記とは逆側から第１搬送部３７Ａ側に延出する逆側搬送路３７Ｃｂと、これら一側搬送路３７Ｃａおよび逆側搬送路３７Ｃｂの先端同士を連結させる、第１搬送部３７Ａおよび第２搬送部３７Ｂに沿う連結搬送路３７Ｃｃとからなるため、第１搬送部３７Ａ、第２搬送部３７Ｂおよび第３搬送部３７Ｃを整然と配設できる。よって、万一ジャムが生じてもジャムをさらに容易に解消できる。
【００５２】
さらに、例えば、入金部１５に投入された紙幣Ｓを搬送部３７で搬送し入金識別部４７で入金可能な紙幣Ｓと識別されれば、還流庫２０〜２２のうちの対応するものに収納させることになり、入金識別部４７で入金不可な入金リジェクト紙幣Ｓと識別された場合のみ、搬送部３７を逆転させることで入金リジェクト紙幣Ｓを出金部１６または回収庫１８に搬送する。これにより、頻度の高い入金可能紙幣Ｓの識別時には搬送部３７を停止および逆転させず、発生頻度の低い入金リジェクト紙幣Ｓの識別時のみ搬送部３７を停止後に逆転（スイッチバック）させることで、処理時間の長大化を極力抑制することができる。なお、還流庫２０〜２２に収納していた紙幣Ｓを搬送部３７で搬送する場合には、搬送部３７を逆転させることはないため、この点からも、処理時間の長大化を極力抑制することができる。
【００５３】
上記実施形態においては、筐体１２の最も短い辺部１２ａを高さ方向に、中間長さの辺部１２ｂを幅方向に、最も長い辺部１２ｃを奥行き方向に配して設置される場合を例にとり説明したが、図４に示すように、最も短い辺部１２ａを幅方向に、中間長さの辺部１２ｂを高さ方向に、最も長い辺部１２ｃを奥行き方向に配したり、図５に示すように、筐体１２の最も短い辺部１２ａを幅方向に、中間長さの辺部１２ｂを奥行き方向に、最も長い辺部１２ｃを高さ方向に配して設置することもできる。
【００５４】
さらには、図６に示すように、入金部１５の入金口３２および出金部１６の出金口３３を中間の辺部１２ｂと最も長い辺部１２ｃで形成される面部１２Ｂに開口させることで、筐体１２の最も短い辺部１２ａを奥行き方向に、中間長さの辺部１２ｂを幅方向に、最も長い辺部１２ｃを高さ方向に配して設置できる。なお、この場合、入金部１５および出金部１６を交換する必要があるため、蓋部３０を開いて第１の構成部２５を含むユニット２８をユニット毎交換することで変更に対応する。また、この場合は、紙幣Ｓが短辺方向に沿って投入および払い出しされるとともに搬送部３７が紙幣Ｓを長辺方向に沿って搬送することになる。
【００５５】
また、上記した入金口３２と出金口３３とを共用の入出金口としても良い。
さらに、上記した紙幣入出金機１１を左右反転して例えば入金部１５および回収庫１８を幅方向の上記とは逆側に配置しても良い。
【図面の簡単な説明】
【００５６】
【図１】本発明の一実施形態の紙幣入出金機を概略的に示す透過斜視図である。
【図２】本発明の一実施形態の紙幣入出金機を概略的に示す平断面図である。
【図３】本発明の一実施形態の紙幣入出金機を概略的に示す側断面図である。
【図４】本発明の一実施形態の紙幣入出金機の変形例を概略的に示す斜視図である。
【図５】本発明の一実施形態の紙幣入出金機の別の変形例を概略的に示す斜視図である。
【図６】本発明の一実施形態の紙幣入出金機のさらに別の変形例を概略的に示す斜視図である。
【符号の説明】
【００５７】
１１  紙幣入出金機
１５  入金部
１６  出金部
１７  出金リジェクト庫
１８  回収庫
２０〜２２  還流庫
２５  第１の構成群
２６  第２の構成群
３７  搬送部
３７Ａ  第１搬送部
３７Ｂ  第２搬送部
３７Ｃ  第３搬送部
３７Ｃａ  一側搬送路
３７Ｃｂ  逆側搬送路
３７Ｃｃ  連結搬送部
４７  入金識別部
４８  出金識別部
８１  制御部
Ｓ  紙幣
【図１】
0004799931.tif 000002
【図２】
0004799931.tif 000003
【図３】
0004799931.tif 000004
【図４】
0004799931.tif 000005
【図５】
0004799931.tif 000006
【図６】
0004799931.tif 000007